(57)【要約】【課題】従来よりも低コストで、かつ、少ない工数で表示装置の表示特性を校正することができる表示装置用校正装置等を提供する。【解決手段】表示装置用校正装置３０は、表示装置２０の表示特性を校正する装置であって、表示装置２０に表示された画像を撮影する撮像部３１と、表示装置２０と通信する通信部３４と、撮像部３１及び通信部３４を制御する制御部３５とを備える。制御部３５は、撮像部３１によって撮影された画像に対して演算を行うことで、表示特性を補正するための補正データを生成する演算部３５ａと、演算部３５ａで生成された補正データを、通信部３４を介して表示装置２０に送信する送信部３５ｂとを有する。少なくとも、撮像部３１、通信部３４及び制御部３５は、一体化されている。【選択図】図３
2019149764.tif 000002
【特許請求の範囲】
【請求項１】
表示装置の表示特性を校正する表示装置用校正装置であって、
前記表示装置に表示された画像を撮影する撮像部と、
前記表示装置と通信する通信部と、
前記撮像部及び前記通信部を制御する制御部とを備え、
前記制御部は、前記撮像部によって撮影された画像に対して演算を行うことで、前記表示特性を補正するための補正データを生成する演算部と、
前記演算部で生成された補正データを、前記通信部を介して前記表示装置に送信する送信部とを有し、
前記撮像部、前記通信部及び前記制御部は、一体化されている
表示装置用校正装置。
【請求項２】
前記表示装置用校正装置は、携帯情報端末である
請求項１記載の表示装置用校正装置。
【請求項３】
前記演算部は、前記撮像部によって撮影された画像の少なくとも一つの代表点における輝度に対して、前記代表点における輝度の基準値を用いた演算を行うことで、前記補正データを生成する
請求項１又は２記載の表示装置用校正装置。
【請求項４】
前記演算部は、前記撮像部によって撮影された画像に対して、空間的な輝度ムラを算出する演算を行うことで、前記補正データを生成する
請求項１〜３のいずれか１項に記載の表示装置用校正装置。
【請求項５】
さらに、補正用画像を記憶する補正用画像記憶部を備え、
前記制御部は、さらに、前記補正用画像記憶部に記憶された前記補正用画像を、前記通信部を介して前記表示装置に送信して前記表示装置に表示させる補正用画像指示部を有し、
前記撮像部は、前記表示装置に表示された前記補正用画像を撮影する
請求項１〜４のいずれか１項に記載の表示装置用校正装置。
【請求項６】
前記演算部は、前記撮像部によって撮影された前記補正用画像の少なくとも一つの代表点における輝度に対して、前記補正用画像記憶部に記憶された前記補正用画像の前記代表点に対応する輝度を基準値として用いた演算を行うことで、前記補正データを生成する
請求項５記載の表示装置用校正装置。
【請求項７】
さらに、前記撮像部を校正するための校正用冶具を備え、
前記校正用冶具は、
光源と、
前記光源に対して前記撮像部を位置決めする構造物である位置決め部とを有する
請求項１〜６のいずれか１項に記載の表示装置用校正装置。
【請求項８】
前記校正用冶具は、さらに、前記光源及び前記撮像部を収容する筺体を備え、
前記位置決め部は、前記筺体内に前記撮像部を固定する位置決めガイドである
請求項７記載の表示装置用校正装置。
【請求項９】
前記位置決め部は、前記撮像部に対して着脱可能なアタッチメントである
請求項７記載の表示装置用校正装置。
【請求項１０】
さらに、前記表示装置に表示された画像に対して、撮影を行うカメラ、又は、輝度を計測する輝度計を付属品として備え、
前記制御部は、さらに、前記通信部を介して前記付属品からデータを取得し、取得したデータを用いて、前記撮像部を校正する撮像校正部を有する
請求項１〜９のいずれか１項に記載の表示装置用校正装置。
【請求項１１】
前記撮像部は、さらに、前記表示装置に表示された、前記撮像部を校正するための校正用画像を撮影し、
前記制御部は、さらに、前記撮像部によって撮影された校正用画像を用いて、前記撮像部の幾何学特性を校正する撮像校正部を有する
請求項１〜９のいずれか１項に記載の表示装置用校正装置。
【請求項１２】
前記表示装置は、異なる複数の画像を切り替えて表示し、
前記撮像部は、前記表示装置に表示された前記複数の画像を撮影し、
前記制御部は、さらに、前記撮像部によって撮影された前記複数の画像から、前記複数の画像において共通する位置に同じ表示オブジェクトがあるか否かを判断することで、前記表示装置の画面又は前記撮像部に異物が付着していることを検知してユーザに提示する異物検出部を有する
請求項１〜１１のいずれか１項に記載の表示装置用校正装置。
【請求項１３】
前記制御部は、さらに、前記表示装置に表示された画像を、複数の視点から撮影するように前記撮像部を制御する撮像制御部を有し、
前記演算部は、前記撮像部で複数の視点から撮影された複数の画像を合成し、合成によって得られた画像に対して前記演算を行うことで、前記補正データを生成する
請求項１〜１２のいずれか１項に記載の表示装置用校正装置。
【請求項１４】
さらに、前記表示装置の輝度の空間分布を示す初期画像を記憶する初期画像記憶部を備え、
前記演算部は、前記撮像部によって撮影された画像に対して、前記初期画像記憶部に記憶された前記初期画像を基準とする空間的な輝度ムラを算出することで、前記補正データを生成する
請求項１〜１３のいずれか１項に記載の表示装置用校正装置。
【請求項１５】
表示装置と、
前記表示装置の表示特性を校正する請求項１〜１４のいずれか１項に記載の表示装置用校正装置と
を備える表示装置用校正システム。
【請求項１６】
請求項１〜１４のいずれか１項に記載の表示装置用校正装置と通信する通信部と、
前記表示装置用校正装置から送信されてきた画像を、前記通信部を介して取得し、取得した画像を示す映像信号を生成する映像信号生成部と、
前記表示装置用校正装置から送信されてきた補正データを、前記通信部を介して取得して格納する記憶部を有し、前記記憶部に格納された補正データを用いて、前記映像信号生成部で生成された映像信号を補正する映像信号処理部と、
前記映像信号処理部で補正された映像信号を表示する表示パネルと
を備える表示装置。
【請求項１７】
前記記憶部は、異なる補正を示す少なくとも２つの補正データを格納する記憶容量を有する
請求項１６記載の表示装置。
【請求項１８】
前記記憶部は、予め与えられた補正データを格納している第１記憶部と、前記表示装置用校正装置から送信されてきた補正データを格納する第２記憶部とを有する
請求項１７記載の表示装置。
【請求項１９】
前記映像信号処理部は、さらに、前記映像信号生成部で生成された映像信号に対して、前記記憶部に格納された補正データを用いた補正をすることなく、前記映像信号を出力し、
前記表示パネルは、さらに、前記映像信号処理部から前記補正がされないで出力された前記映像信号を表示する
請求項１７記載の表示装置。
【請求項２０】
表示装置の表示特性を校正する校正方法であって、
請求項１〜１４のいずれか１項に記載の表示装置用校正装置を用いて前記表示装置の表示特性を校正する
表示装置の校正方法。
【請求項２１】
前記表示装置が、内部に保持する補正データを用いた補正をすることなく、画像を表示する第１表示ステップと、
前記第１表示ステップによって前記表示装置に前記画像を表示した状態で、前記表示装置用校正装置を用いて前記表示装置の表示特性を校正し、校正によって得られた補正データを前記表示装置用校正装置が前記表示装置に転送し、前記表示装置に書き込む校正ステップと、
前記表示装置が、書き込んだ補正データを用いて、映像信号を補正し、補正した映像信号を表示する第２表示ステップと
を含む請求項２０記載の表示装置の校正方法。
【発明の詳細な説明】
【技術分野】
【０００１】
本発明は、表示装置の表示特性を校正する表示装置用校正装置、表示装置用校正システム、表示装置の校正方法、及び、表示特性の校正に適した表示装置に関する。
【背景技術】
【０００２】
ＬＣＤ（Ｌｉｑｕｉｄ  Ｃｒｙｓｔａｌ  Ｄｉｓｐｌａｙ）等の表示装置では、表示特性のばらつきが存在する。ここで、表示特性とは、個々の表示装置がもつ画質（輝度、色、各種ムラ）特性であり、例えば、ルックアップテーブル（以下、「ＬＵＴ」とも記す）によって定まる入出力特性（つまり、ガンマ特性）等によって調整され得る特性である。また、表示特性は、経時的にも変化し得る。そのために、表示装置の個体ごとに、表示特性を校正する必要がある。
【０００３】
従来、表示装置の表示特性を校正する（以下、単に「表示装置」を校正するともいう。）ための表示装置用校正システムが提案されている（例えば、特許文献１等参照）。特許文献１の表示装置用校正システムは、校正の対象となる表示装置の画面を撮影する分光カメラ及びＲＧＢカメラと、それらのカメラで得られた画像を分析することによって表示装置の画質調整のためのＬＵＴを生成し、生成したＬＵＴを用いて表示装置の画質情報を更新するパーソナルコンピュータ等とで構成される。これにより、表示装置が校正され得る。
【先行技術文献】
【特許文献】
【０００４】
【特許文献１】特開２０１０−８１５８８号公報
【発明の概要】
【発明が解決しようとする課題】
【０００５】
しかしながら、特許文献１の表示装置用校正システムは、複数の校正用専用機材で構成され、かつ、表示装置を校正するには、複数の校正用専用機材のそれぞれに対する独自の操作が必要とされる。そのために、高いコストと多く工数を要するという問題がある。
【０００６】
そこで、本発明は、上記問題を解決するためになされたものであり、従来よりも低コストで、かつ、少ない工数で表示装置の表示特性を校正することができる表示装置用校正装置、表示装置用校正システム、表示装置の校正方法、及び、表示特性の校正に適した表示装置を提供することを目的とする。
【課題を解決するための手段】
【０００７】
上記目的を達成するために、本発明の一形態に係る表示装置用校正装置は、表示装置の表示特性を校正する表示装置用校正装置であって、前記表示装置に表示された画像を撮影する撮像部と、前記表示装置と通信する通信部と、前記撮像部及び前記通信部を制御する制御部とを備え、前記制御部は、前記撮像部によって撮影された画像に対して演算を行うことで、前記表示特性を補正するための補正データを生成する演算部と、前記演算部で生成された補正データを、前記通信部を介して前記表示装置に送信する送信部とを有し、前記撮像部、前記通信部及び前記制御部は、一体化されている。
【０００８】
上記目的を達成するために、本発明の一形態に係る表示装置用校正システムは、表示装置と、前記表示装置の表示特性を校正する上記表示装置用校正装置とを備える。
【０００９】
上記目的を達成するために、本発明の一形態に係る表示装置は、上記表示装置用校正装置と通信する通信部と、前記表示装置用校正装置から送信されてきた画像を、前記通信部を介して取得し、取得した画像を示す映像信号を生成する映像信号生成部と、前記表示装置用校正装置から送信されてきた補正データを、前記通信部を介して取得して格納する記憶部を有し、前記記憶部に格納された補正データを用いて、前記映像信号生成部で生成された映像信号を補正する映像信号処理部と、前記映像信号処理部で補正された映像信号を表示する表示パネルとを備える。
【００１０】
上記目的を達成するために、本発明の一形態に係る表示装置の校正方法は、表示装置の表示特性を校正する校正方法であって、上記表示装置用校正装置を用いて前記表示装置の表示特性を校正する。
【発明の効果】
【００１１】
本発明により、低コストで、かつ、少ない工数で表示装置の表示特性を校正することができる表示装置用校正装置、表示装置用校正システム、表示装置の校正方法、及び、表示特性の校正に適した表示装置が提供される。
【図面の簡単な説明】
【００１２】
【図１】図１は、実施の形態に係る表示装置用校正システムの構成図である。
【図２】図２は、図１に示された表示装置の構成を示すブロック図である。
【図３】図３は、図１に示された表示装置用校正装置の構成を示すブロック図である。
【図４】図４は、図１に示された表示装置用校正システムの基本動作を示すシーケンス図である。
【図５】図５は、図３に示された表示装置用校正装置の異物検出部の機能を説明するための図である。
【図６】図６は、図１に示された表示装置用校正装置による複数の視点から撮影された画像を用いた輝度ムラの校正手順を示すフローチャートである。
【図７Ａ】図７Ａは、図１に示された表示装置に表示された画像を複数の視点から見たときの表示例を示す図である。
【図７Ｂ】図７Ｂは、図３に示された表示装置用校正装置の撮像制御部によるグラフィカルユーザインタフェースの例を示す図である。
【図８】図８は、図１に示された表示装置用校正装置によって輝度ムラを恒久的な成分と経時的な成分とに分けて校正する方法の処理の流れを説明する図である。
【図９Ａ】図９Ａは、図３に示された表示装置用校正装置の撮像部を輝度校正するための校正用冶具の一例を示す外観図である。
【図９Ｂ】図９Ｂは、図３に示された表示装置用校正装置の撮像部を輝度校正するための校正用冶具の他の一例を示す外観図である。
【図９Ｃ】図９Ｃは、図３に示された表示装置用校正装置の撮像部を輝度校正又は輝度ムラの校正をするための校正用冶具として校正済みのカメラ又は校正済みの輝度計を用いたシステム構成を示す図である。
【発明を実施するための形態】
【００１３】
以下、本発明の実施の形態について、図面を用いて詳細に説明する。なお、以下で説明する実施の形態は、いずれも本発明の一具体例を示すものである。以下の実施の形態で示される数値、形状、材料、画像、データ、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００１４】
図１は、実施の形態に係る表示装置用校正システム１０の構成図である。本図に示されるように、表示装置用校正システム１０は、表示装置２０と、表示装置用校正装置３０とで構成される。
【００１５】
表示装置２０は、校正の対象となるディスプレイであり、ＬＣＤ、有機ＥＬ（ＥｌｅｃｔｒｏＬｉｍｉｎｅｓｃｅｎｃｅ）ディスプレイ等であり、モノクロ、グレースケール、カラー等の種類は問わない。
【００１６】
表示装置用校正装置３０は、表示装置２０の表示特性を校正する装置であり、例えば、スマートフォン、タブレット端末等のカメラを内蔵する携帯情報端末である。本実施の形態では、図１に示されるように、表示装置用校正装置３０は、無線ＬＡＮ等の無線通信によって補正用画像１１を表示装置２０に送信することで表示装置２０に補正用画像１１を表示させ、表示された補正用画像１１を撮影することで表示装置２０の表示特性を補正するためのＬＵＴである補正データ１２を生成し、生成した補正データ１２を無線通信によって表示装置２０に送信することで表示装置２０が有する補正データを更新させる。
【００１７】
図２は、図１に示された表示装置２０の構成を示すブロック図である。本図に示されるように、表示装置２０は、通信部２１、入力端子２２、映像信号生成部２３、映像信号処理部２４、及び、表示パネル２８を備える。
【００１８】
通信部２１は、表示装置用校正装置３０を含む外部機器と通信する通信アダプタであり、例えば、Ｂｌｕｅｔｏｏｔｈ（登録商標）又は無線ＬＡＮ用の通信アダプタである。
【００１９】
入力端子２２は、映像信号を受け取る端子であり、例えば、ＶＧＡ端子、ＤＶＩ端子、又は、ＨＤＭＩ（登録商標）端子等である。
【００２０】
映像信号生成部２３は、通信部２１から入力された映像又は画像を映像信号に変換し、あるいは、入力端子２２から入力された映像信号を中継することにより、映像信号を生成して映像信号処理部２４に出力する回路であり、例えば、グラフィックスプロセッサ等である。
【００２１】
映像信号処理部２４は、表示装置用校正装置３０から送信されてきたＬＵＴである補正データ１２等を、通信部２１を介して取得して保持する記憶部２５を有し、映像信号生成部２３から入力された映像信号に対して、記憶部２５に保持された補正データ１２ａ及び１２ｂを用いて補正を行い、補正後の映像信号を表示パネル２８に出力する回路である。補正データ１２ａ及び１２ｂは、入力信号の各階調値に対して出力信号に変換するために乗じる係数の集まりであり、例えば、ガンマ曲線を示すデータである。補正データ１２ａ及び１２ｂは、表示パネルの画素位置（あるいは、画素ブロック）に依存しない代表的な入出力特性を示すデータであってもよいし、表示パネルの画素位置（あるいは、画素ブロック）に依存した空間的な輝度特性（つまり、「輝度ムラ」）を示すデータであってもよいし、それらの両方であってもよい。
【００２２】
ここで、記憶部２５は、例えば不揮発性メモリであり、異なる補正を示す少なくとも２つの補正データ１２ａ及び１２ｂを格納する記憶容量を有する。より詳しくは、記憶部２５は、予め与えられた補正データ１２ａ（つまり、工場出荷時の初期値）を格納している第１記憶部２５ａと、表示装置用校正装置３０から送信されてきた補正データ１２ｂ（つまり、工場出荷後の補正データ）を格納する第２記憶部２５ｂとを有する。映像信号処理部２４は、映像信号生成部２３から入力された映像信号に対して、第１記憶部２５ａに保持された補正データ１２ａに第２記憶部２５ｂに保持された補正データ１２ｂを乗じることで得られた補正データを用いて補正し、補正後の映像信号を表示パネル２８に出力する。
【００２３】
なお、映像信号処理部２４は、ユーザからの指示等に基づいて、映像信号生成部２３から入力された映像信号に対して、記憶部２５に格納された補正データ１２ａ及び１２ｂを用いた補正をすることなく、そのままの映像信号を表示パネル２８に出力することもできる。
【００２４】
表示パネル２８は、映像信号処理部２４から入力された映像信号を表示するディスプレイパネルであり、例えば、タイミング・コントローラ（Ｔｉｍｉｎｇ  Ｃｏｎｔｒｏｌｌｅｒ：ＴＣＯＮ）、データ信号線ドライバ、アドレス信号線ドライバ、及び、液晶パネル等で構成される。
【００２５】
図３は、図１に示された表示装置用校正装置３０の構成を示すブロック図である。本図に示されるように、表示装置用校正装置３０は、撮像部３１、入力部３２、表示部３３、通信部３４、制御部３５、及び、記憶部３６を備える。表示装置用校正装置３０は、上述したように、例えば、スマートフォン、タブレット端末等の携帯情報端末である。よって、撮像部３１、入力部３２、表示部３３、通信部３４、制御部３５、及び、記憶部３６は、一体化され、一つの小型携帯用の筐体に収容されている。
【００２６】
撮像部３１は、カメラであり、本実施の形態では、表示装置２０に表示された補正用画像あるいは校正用画像を撮影するために用いられ、例えば、携帯情報端末に内蔵されたカラーのＣＣＤ又はＣＭＯＳイメージセンサ等である。なお、補正用画像とは、表示装置２０を校正するための画像であり、一方、校正用画像とは、表示装置用校正装置３０の撮像部３１を校正するための画像である。
【００２７】
入力部３２は、ユーザの指示を受け取る入力デバイスであり、例えば、タッチパネル、ボタン等である。
【００２８】
表示部３３は、ディスプレイであり、例えば、ＬＣＤ等である。
【００２９】
通信部３４は、表示装置２０を含む外部機器と通信する通信アダプタであり、例えば、Ｂｌｕｅｔｏｏｔｈ（登録商標）又は無線ＬＡＮ用の通信アダプタであってもよいし、異なる種類の通信アダプタの集まりであってもよい。
【００３０】
制御部３５は、撮像部３１、入力部３２、表示部３３、通信部３４、及び、記憶部３６を制御することで表示装置用校正装置３０として各種機能を発揮する処理部である。具体的には、制御部３５は、アプリ等のプログラムが格納されたメモリ、そのプログラムを実行するプロセッサ、各種入出力ポート等を有する制御回路であり、プロセッサがプログラムを実行することによって発揮される機能的な構成要素として、演算部３５ａ、送信部３５ｂ、補正用画像指示部３５ｃ、撮像校正部３５ｄ、異物検出部３５ｅ、及び、撮像制御部３５ｆを有する。
【００３１】
演算部３５ａは、撮像部３１によって撮影された補正用画像に対して演算を行うことで、表示装置２０の表示特性を補正するためのＬＵＴである補正データ１２を生成する。補正用画像１１は、例えば、全ての画素が同じ画素値をもつような画像である。具体的には、演算部３５ａは、輝度校正として、撮像部３１によって撮影された補正用画像の少なくとも一つの代表点における輝度に対して、代表点における輝度の基準値を用いた演算を行うことで、補正データ１２を生成する。このとき、演算部３５ａは、撮像部３１によって撮影された補正用画像の少なくとも一つの代表点における輝度に対して、記憶部３６に記憶された補正用画像１１の代表点に対応する輝度を基準値として用いた演算を行うことで、補正データを生成する。また、演算部３５ａは、輝度ムラの校正として、撮像部３１によって撮影された補正用画像に対して、空間的な輝度ムラを算出する演算を行うことで、補正データ１２を生成する。
【００３２】
送信部３５ｂは、演算部３５ａで生成された補正データ１２を、通信部３４を介して表示装置２０に送信する。これによって、補正データ１２を受信した表示装置２０が保持する補正データを更新する。
【００３３】
補正用画像指示部３５ｃは、記憶部３６に記憶された補正用画像１１を、通信部３４を介して表示装置２０に送信して表示装置２０に表示させる。
【００３４】
撮像校正部３５ｄは、通信部３４を介して付属品からデータを取得し、取得したデータを用いて、撮像部３１を校正する。付属品は、表示装置２０に表示された画像に対して、撮影を行う校正済みのカメラ、又は、輝度を計測する校正済みの輝度計である。また、表示装置２０に撮像部３１を校正するための校正用画像を表示させた状態で撮像部３１が校正用画像を撮影した後に、撮像校正部３５ｄは、撮像部３１によって撮影された校正用画像を用いて、撮像部３１の幾何学特性を校正する。
【００３５】
異物検出部３５ｅは、表示装置２０が異なる複数の画像を切り替えて表示し、撮像部３１がそれらの複数の画像を撮影した後に、撮像部３１によって撮影された複数の画像から、複数の画像において共通する位置に同じ表示オブジェクトがあるか否かを判断することで、表示装置２０の画面又は撮像部３１に異物が付着していることを検知してユーザに提示する。
【００３６】
撮像制御部３５ｆは、表示装置２０に表示された画像を、複数の視点から撮影するように撮像部３１を制御する。このとき、演算部３５ａは、撮像部３１で複数の視点から撮影された複数の画像を合成し、合成によって得られた画像に対して演算を行うことで、補正データを生成する。
【００３７】
記憶部３６は、補正用画像１１を記憶する補正用画像記憶部、及び、表示装置２０の輝度の空間分布を示す初期画像３７を記憶する初期画像記憶部等として機能するだけでなく、各種画像及びデータを記憶するメモリであり、例えば、不揮発性メモリである。
【００３８】
次に、以上のように構成された本実施の形態に係る表示装置用校正システム１０の動作について説明する。
【００３９】
図４は、図１に示された表示装置用校正システム１０の基本動作（つまり、表示装置２０の校正方法）を示すシーケンス図である。ここでは、表示装置２０及び表示装置用校正装置３０の動作手順及び通信のやりとりが示されている。
【００４０】
まず、表示装置用校正装置３０において、入力部３２を介したユーザからの指示に従って、制御部３５の補正用画像指示部３５ｃは、記憶部３６から補正用画像１１を読み出し、読み出した補正用画像１１を、通信部３４を介して表示装置２０に送信する（Ｓ１０）。なお、記憶部３６には、様々な目的又は精度に対応した複数の補正用画像１１を格納しておき、補正用画像指示部３５ｃは、入力部３２からのユーザの指示に従って、複数の補正用画像１１の中から選択された補正用画像１１を記憶部３６から読み出して表示装置２０に送信してもよい。
【００４１】
次に、表示装置２０において、通信部２１を介して受信された補正用画像１１は、映像信号生成部２３によって映像信号に変換され、変換後の映像信号は、映像信号処理部２４に送られる。そして、映像信号処理部２４において、入力された映像信号は、記憶部２５に格納された補正データ１２ａ（つまり、工場出荷時の初期値）で補正され、表示パネル２８に送られて表示される（Ｓ１１）。なお、補正においては、典型的には、記憶部２５に格納された補正データ１２ａ（つまり、工場出荷時の初期値）を用いて補正されるが、これに代えて、第１記憶部２５ａに保持された補正データ１２ａに第２記憶部２５ｂに保持された補正データ１２ｂ（つまり、工場出荷後の補正データ）を乗じることで得られた補正データを用いてもよい。また、補正をすることなく、つまり、映像信号生成部２３から入力された映像信号をそのまま、表示パネル２８に出力してもよい（第１表示ステップ）。
【００４２】
次に、表示装置用校正装置３０において、撮像部３１は、表示装置２０に表示された補正用画像１１を撮影する（Ｓ１２）。なお、輝度校正を行う場合は、輝度が異なる複数の補正用画像１１を表示装置用校正装置３０から表示装置２０に送信して表示装置２０で表示し、表示装置２０に表示された補正用画像１１を表示装置用校正装置３０が撮像して保持する（記憶部３６に一時保存する）という処理（Ｓ１０〜Ｓ１２）を、複数の補正用画像１１について繰り返す。
【００４３】
続いて、表示装置用校正装置３０の演算部３５ａは、撮像部３１によって撮影された補正用画像に対して演算を行うことで、表示装置２０の表示特性を補正するためのＬＵＴである補正データ１２を生成する（Ｓ１３）。具体的には、演算部３５ａは、輝度校正として、撮像部３１によって撮影された補正用画像の少なくとも一つの代表点における輝度に対して、代表点における輝度の基準値を用いた演算（例えば、除算）を行うことで、輝度校正による補正データ１２を生成する。このとき、演算部３５ａは、撮像部３１によって撮影された補正用画像の少なくとも一つの代表点における輝度に対して、記憶部３６に記憶された補正用画像１１の代表点に対応する輝度を基準値として用いた演算を行うことで、輝度校正による補正データ１２を生成する。
【００４４】
なお、記憶部３６に輝度の異なる複数の補正用画像１１を保存している場合には、演算部３５ａは、それら複数の異なる輝度のそれぞれについて、補正係数を算出する。つまり、演算部３５ａは、記憶部３６から一つの補正用画像１１を読み出し、読み出した補正用画像１１の代表点の輝度で基準値の輝度を除することで一つの輝度（つまり、階調値）に対する補正係数を算出する。そのような処理を、記憶部３６に保存された複数の補正用画像１１（つまり、複数の階調値）について繰り返す。そして、演算部３５ａは、得られた複数の補正係数を補間することで、全ての輝度（つまり、階調値）のそれぞれに対する補正係数を算出し、算出した補正係数の集まりを、輝度を補正するための補正データ１２として生成する。
【００４５】
あるいは、演算部３５ａは、輝度ムラの校正として、撮像部３１によって撮影された補正用画像に対して、空間的な輝度ムラを算出する演算を行うことで、輝度ムラを補正するための補正データ１２を生成する。例えば、撮影された補正用画像の各画素値（あるいは、画素ブロック）についての平均値を算出し、算出した平均値を各画素値（あるいは、画素ブロックの平均画素値）で除して得られる補正係数の集まりを、輝度ムラを補正するための補正データとして算出する。なお、輝度校正、輝度ムラの校正、及び、それら両方のいずれを実行するかは、例えば、入力部３２を介した事前のユーザの設定による。
【００４６】
そして、表示装置用校正装置３０の送信部３５ｂは、演算部３５ａで生成された補正データ１２を、通信部３４を介して表示装置２０に送信する（Ｓ１４）。
【００４７】
表示装置２０では、表示装置用校正装置３０から送られてきた補正データ１２は、通信部２１で受信され、映像信号処理部２４によって、第２記憶部２５ｂに上書き保存される（校正ステップＳ１５）。これによって、第２記憶部２５ｂの補正データ１２ｂは、更新される。
【００４８】
なお、ステップＳ１１において、映像信号生成部２３から入力された映像信号を映像信号処理部２４において補正することなくそのまま表示パネル２８に出力することによって補正用画像１１を表示した場合には（第１表示ステップ）、表示装置２０では、表示装置用校正装置３０から送られてきた補正データ１２が、映像信号処理部２４によって第１記憶部２５ａに上書き保存されてもよい。
【００４９】
このような校正が完了した後は、表示装置２０では、映像信号処理部２４は、映像信号生成部２３から入力された映像信号に対して、第１記憶部２５ａに保持された補正データ１２ａに第２記憶部２５ｂに保持された補正データ１２ｂを乗じることで得られた補正データを用いて補正し、補正後の映像信号を表示パネル２８に出力する（第２表示ステップ）。このようにして、表示装置２０では、表示装置用校正装置３０による輝度校正、輝度ムラの校正、あるいは、それらの両方が反映された表示が行われる。
【００５０】
以上のように、本実施の形態に係る表示装置用校正装置３０は、表示装置２０の表示特性を校正する装置であって、表示装置２０に表示された画像を撮影する撮像部３１と、表示装置２０と通信する通信部３４と、撮像部３１及び通信部３４を制御する制御部３５とを備える。制御部３５は、撮像部３１によって撮影された画像に対して演算を行うことで、表示特性を補正するための補正データを生成する演算部３５ａと、演算部３５ａで生成された補正データを、通信部３４を介して表示装置２０に送信する送信部３５ｂとを有する。少なくとも、撮像部３１、通信部３４及び制御部３５は、一体化されている。
【００５１】
これにより、表示装置用校正装置３０は、撮像部３１、通信部３４及び制御部３５が一体化されており、スマートフォン等の携帯情報端末で実現され得る。その結果、従来のように校正用専用機材で校正装置を構築する場合に比べ、低コストで表示装置用校正装置３０が構築される。しかも、個々の校正用専用機材を接続したり個別に取り扱ったりすることなく、統一された操作によって校正を行うことができる。よって、従来よりも低コストで、かつ、少ない工数で表示装置２０の表示特性を校正することができる表示装置用校正装置３０が実現される。
【００５２】
ここで、表示装置用校正装置３０は、例えば、携帯情報端末である。
【００５３】
これにより、広く普及したスマートフォン等の携帯情報端末によって表示装置用校正装置３０が実現されるので、特別なハードウェアを必要とすることなく、アプリをインストールするだけで表示装置用校正装置３０が実現される。
【００５４】
また、演算部３５ａは、撮像部３１によって撮影された画像の少なくとも一つの代表点における輝度に対して、代表点における輝度の基準値を用いた演算を行うことで、補正データを生成する。
【００５５】
これにより、表示装置用校正装置３０によって輝度校正が行われる。
【００５６】
また、演算部３５ａは、撮像部３１によって撮影された画像に対して、空間的な輝度ムラを算出する演算を行うことで、補正データを生成する。
【００５７】
これにより、表示装置用校正装置３０によって輝度ムラに対する校正が行われる。
【００５８】
また、表示装置用校正装置３０は、さらに、補正用画像１１を記憶する補正用画像記憶部としての記憶部３６を備え、制御部３５は、さらに、補正用画像記憶部に記憶された補正用画像１１を、通信部３４を介して表示装置２０に送信して表示装置２０に表示させる補正用画像指示部３５ｃを有し、撮像部３１は、表示装置２０に表示された補正用画像１１を撮影する。
【００５９】
これにより、表示装置用校正装置３０が保持する補正用画像を表示装置２０に表示させたうえで表示特性の校正をすることができるので、校正に用いる補正用画像として、表示装置用校正装置３０側で任意に選択することが可能になる。
【００６０】
また、演算部３５ａは、撮像部３１によって撮影された補正用画像の少なくとも一つの代表点における輝度に対して、記憶部３６に記憶された補正用画像１１の代表点に対応する輝度を基準値として用いた演算を行うことで、補正データを生成する。
【００６１】
これにより、表示装置用校正装置３０が保持していた補正用画像を基準とする輝度校正が行われるので、様々な補正用画像を用いた高い精度の輝度校正が可能になる。
【００６２】
また、本実施の形態に係る表示装置用校正システム１０は、表示装置２０と、表示装置２０の表示特性を校正する表示装置用校正装置３０とを備える。
【００６３】
これにより、表示装置用校正装置３０としてスマートフォン等の携帯情報端末を用いることができるので、従来よりも低コストで、かつ、少ない工数で表示装置２０の表示特性を校正することができる表示装置用校正システム１０が実現される。
【００６４】
また、本実施の形態に係る表示装置２０は、表示装置用校正装置３０と通信する通信部２１と、表示装置用校正装置３０から送信されてきた画像を、通信部２１を介して取得し、取得した画像を示す映像信号を生成する映像信号生成部２３と、表示装置用校正装置３０から送信されてきた補正データを、通信部２１を介して取得して格納する記憶部２５を有し、記憶部２５に格納された補正データを用いて、映像信号生成部２３で生成された映像信号を補正する映像信号処理部２４と、映像信号処理部２４で補正された映像信号を表示する表示パネル２８とを備える。
【００６５】
これにより、スマートフォン等の携帯情報端末である表示装置用校正装置３０によって低コストで、かつ、少ない工数で表示特性が校正される表示装置２０が実現される。
【００６６】
また、表示装置２０の記憶部２５は、異なる補正を示す少なくとも２つの補正データ１２ａ及び１２ｂを格納する記憶容量を有する。
【００６７】
これにより、２つの補正データ１２ａ及び１２ｂの一方をバックアップ用途等に用いることで、校正が終了した後に、何らかの理由で校正前の状態に戻したい場合であっても、そのような復元が可能となり、高機能な表示装置２０が実現される。
【００６８】
また、表示装置２０の記憶部２５は、予め与えられた補正データ１２ａを格納している第１記憶部２５ａと、表示装置用校正装置３０から送信されてきた補正データ１２ｂを格納する第２記憶部２５ｂとを有する。
【００６９】
これにより、第１記憶部２５ａを初期値の保存用とし、第２記憶部２５ｂを更新用として用いることで、いつでも表示特性を初期状態に復元することが可能となり、利便性に優れた表示装置２０が実現される。一例として、第１記憶部２５ａを、読み出し専用且つ書き換え不能なリードオンリーメモリ（ＲＯＭ）で構成し、第２記憶部２５ｂを、書き換え可能なランダムアクセスメモリ（ＲＡＭ）で構成してもよい。
【００７０】
また、映像信号処理部２４は、さらに、映像信号生成部２３で生成された映像信号に対して、記憶部２５に格納された補正データ１２ａ及び１２ｂを用いた補正をすることなく、映像信号を出力し、表示パネル２８は、さらに、映像信号処理部２４から補正がされないで出力された映像信号を表示する。
【００７１】
これにより、補正データを反映しない映像信号の表示が可能になるので、表示装置２０が有する本来の表示特性で画像を表示させたうえで表示装置２０を校正できる。よって、直前の補正データの影響を受けることなく、表示装置２０が有する本来の表示特性を直接、補正できる補正データが生成される。
【００７２】
また、本実施の形態に係る表示装置２０の校正方法は、表示装置用校正装置３０を用いて表示装置２０の表示特性を校正する方法である。
【００７３】
これにより、表示装置用校正装置３０としてスマートフォン等の携帯情報端末を用いることができるので、従来よりも低コストで、かつ、少ない工数で表示装置２０の表示特性を校正することができる。
【００７４】
また、表示装置２０の校正方法は、表示装置２０が、内部に保持する補正データを用いた補正をすることなく画像を表示する第１表示ステップ（Ｓ１１）と、第１表示ステップ（Ｓ１１）によって表示装置２０に画像を表示した状態で、表示装置用校正装置３０を用いて表示装置２０の表示特性を校正し（Ｓ１２、Ｓ１３）、校正によって得られた補正データを表示装置用校正装置３０が表示装置２０に転送し（Ｓ１４）、表示装置２０に書き込み（校正ステップＳ１５）、表示装置２０が、書き込んだ補正データを用いて、映像信号を補正し、補正した映像信号を表示する第２表示ステップとを含んでもよい。
【００７５】
これにより、補正データを反映しない映像信号の表示により、表示装置２０が有する本来の表示特性で画像を表示させたうえで表示装置２０を校正できる。よって、直前の補正データの影響を受けることなく、表示装置２０が有する本来の表示特性を直接、補正できる補正データを生成する校正が可能になる。
【００７６】
次に、本実施の形態に係る表示装置用校正装置３０の付加的な特徴について説明する。
【００７７】
まず、表示装置用校正装置３０の付加的な特徴の一つ目として、異物検出について説明する。
【００７８】
図５は、図３に示された表示装置用校正装置３０の異物検出部３５ｅの機能を説明するための図である。ここでは、異物検出のための手順（（ａ）１回目の撮影、（ｂ）２回目の撮影、（ｃ）表示装置用校正装置３０での表示）が図示されている。
【００７９】
まず、「１回目の撮影」ステップとして、表示装置２０に第１画像（ここでは、白の画像）を表示させた状態で、表示された第１画像を表示装置用校正装置３０の撮像部３１が撮影し、得られた第１画像を記憶部３６に保存する（図５の（ａ））。
【００８０】
次に、「２回目の撮影」ステップとして、表示装置２０に第２画像（ここでは、グレーの画像）を表示させた状態で、表示された第２画像を表示装置用校正装置３０の撮像部３１が撮影し、得られた第２画像を記憶部３６に保存する（図５の（ｂ））。
【００８１】
なお、上記のような異なる画像の撮影は、２回に限られず、３回以上の任意の回数であってもよい。
【００８２】
最後に、「表示装置用校正装置３０での表示」ステップとして、異物検出部３５ｅは、撮像部３１によって撮影された複数の画像（ここでは、記憶部３６に保存された第１画像及び第２画像）から、それらの画像において共通する位置に同じ表示オブジェクトがあるか否かを判断することで、表示装置２０の画面又は撮像部３１に異物が付着していることを検知してユーザに提示する（図５の（ｃ））。
【００８３】
具体的には、異物検出部３５ｅは、記憶部３６から読み出した複数の画像のそれぞれについて、空間的にみて輝度の異なる領域を抽出する輪郭抽出等の画像処理を行った後、抽出した領域の輝度が複数の画像において相対的に変わるか否かを判断する。その結果、相対的に輝度が変わる領域については、「輝度ムラ」が生じていると判断し、一方、相対的に輝度が変わらない領域については、「異物」が付着していると判断し、その判断結果を、表示部３３に提示する。これにより、表示装置用校正装置３０の表示部３３を見たユーザは、表示装置２０の画面又は撮像部３１に異物が付着している場合には、そのことを知ることができる。
【００８４】
このように、異物検出においては、表示装置２０は、異なる複数の画像を切り替えて表示し、撮像部３１は、表示装置２０に表示された複数の画像を撮影する。そして、異物検出部３５ｅは、撮像部３１によって撮影された複数の画像から、複数の画像において共通する位置に同じ表示オブジェクトがあるか否かを判断することで、表示装置２０の画面又は撮像部３１に異物が付着していることを検知してユーザに提示する。
【００８５】
これにより、表示装置２０の画面又は撮像部３１に異物が付着していることが検知されるので、検知された場合に異物を除去することで、精度の高い輝度ムラの校正が確保される。
【００８６】
次に、表示装置用校正装置３０の付加的な特徴の二つ目として、複数の視点から撮影された画像を用いた輝度ムラの校正について、説明する。
【００８７】
図６は、図１に示された表示装置用校正装置３０による複数の視点から撮影された画像を用いた輝度ムラの校正手順を示すフローチャートである。図７Ａは、図１に示された表示装置２０に表示された画像を複数の視点から見たときの表示例を示す図である。図７Ｂは、図３に示された表示装置用校正装置３０の撮像制御部３５ｆによるグラフィカルユーザインタフェースの例を示す図である。
【００８８】
まず、表示装置２０には、全ての画素が同じ画素値をもつような補正用画像１１を表示させておく（図６のＳ２０）。
【００８９】
続いて、表示装置用校正装置３０により、第１の視点からの撮影を行う（図６のＳ２１、図７Ａの（ａ））。具体的には、撮像制御部３５ｆは、図７Ｂに示されるように、ユーザに対して、複数の視点のうちの第１の視点（例えば、表示装置２０の前方左斜め）から、表示装置２０に表示された補正用画像１１を撮影することを促す画像を表示部３３に表示する。より詳しくは、撮像制御部３５ｆは、表示装置用校正装置３０の表示部３３に、第１の視点から表示装置２０を見た場合の表示パネル２８の枠を示すガイドと、撮像部３１が撮影している対象物の動画と、誘導用のメッセージとを重畳させて表示する。ここで、誘導用のメッセージとは、例えば、「表示装置の画面の枠がガイドに一致するような方向から撮影してください」、「もう少し右から撮影してください」等である。これに対して、ユーザは、表示部３３において表示装置２０の画面の枠とガイドとを一致させた状態で、撮影を行う。その後、撮像制御部３５ｆは、撮影で得られた画像を記憶部３６に保存する。
【００９０】
続いて、表示装置用校正装置３０により、第２の視点からの撮影を行う（図６のＳ２２、図７Ａの（ｂ））。具体的には、撮像制御部３５ｆは、複数の視点のうちの第２の視点（例えば、表示装置２０の前方右斜め）から、表示装置２０に表示された補正用画像１１を撮影することを促す画像を表示部３３に表示する。この場合には、撮像制御部３５ｆは、表示装置用校正装置３０の表示部３３に表示するガイドとして、第２の視点から表示装置２０を見た場合の表示パネル２８の枠を示すガイドを表示する。これに対して、ユーザは、表示部３３において表示装置２０の画面の枠とガイドとを一致させた状態で、撮影を行う。その後、撮像制御部３５ｆは、撮影で得られた画像を記憶部３６に保存する。
【００９１】
なお、このような異なる視点からの撮影は、２種類の方向からの撮影に限られず、３種類以上の方向から撮影されてもよい。
【００９２】
このように、撮像制御部３５ｆによるグラフィカルユーザインタフェースを用いた誘導の下で複数の視点から撮影した画像が記憶部３６に保存されると、最後に、演算部３５ａは、それら複数の視点から撮影された画像を用いて補正データを生成する（図６のＳ２３〜Ｓ２４、図７Ａの（ｃ））。具体的には、演算部３５ａは、複数の視点から撮影された画像を記憶部３６から読み出し、読み出した複数の画像に対して、同じ画素位置の画素値を加算（又は、平均化）することで、複数の画像を合成し（図６のＳ２３）、合成によって得られた画像に対して、上述した演算によって輝度ムラを補正するための補正データ１２を生成する（図６のＳ２４、図７Ａの（ｃ））。
【００９３】
このように、複数の画像を用いた輝度ムラの校正では、撮像制御部３５ｆは、表示装置２０に表示された画像を、複数の視点から撮影するように撮像部３１を制御する。そして、演算部３５ａは、撮像部３１で複数の視点から撮影された複数の画像を合成し、合成によって得られた画像に対して演算を行うことで、輝度ムラを補正するための補正データを生成する。
【００９４】
これにより、複数の視点から撮影された複数の画像を合成して用いることで補正データが生成されるので、モアレ、ビート、外光等のノイズによる影響が抑制され、高い精度で表示装置２０の輝度ムラを校正することができる。
【００９５】
次に、表示装置用校正装置３０の付加的な特徴の三つ目として、表示装置２０の輝度ムラを恒久的な成分と経時的な成分とに分けて校正する方法について、説明する。
【００９６】
図８は、図１に示された表示装置用校正装置３０によって輝度ムラを恒久的な成分と経時的な成分とに分けて校正する方法の処理の流れを説明する図である。
【００９７】
まず、表示装置２０の初期状態（例えば、工場出荷時等）における輝度の空間分布（つまり、輝度ムラ）を示す初期画像３７を表示装置用校正装置３０の記憶部３６に保存しておく（Ｓ３０）。例えば、表示装置２０を購入したユーザが、表示装置２０の使用開始時に、輝度ムラの校正用の補正用画像１１を表示装置２０に表示させ、表示された補正用画像１１を表示装置用校正装置３０の撮像部３１で撮影し、初期画像３７として記憶部３６に保存しておく。この初期画像３７は、表示装置２０の輝度ムラに関する恒久的な成分（いわゆる、ＤＣ成分）を示す情報となる。
【００９８】
表示装置２０の輝度ムラを校正する時期が到来すると、初期画像を取得したときに用いたものと同じ補正用画像１１を表示装置２０に表示させ、表示された補正用画像１１を表示装置用校正装置３０の撮像部３１で撮影する（Ｓ３１）。
【００９９】
そして、表示装置用校正装置３０において、演算部３５ａは、いま撮影された補正用画像に対して、記憶部３６に記憶された初期画像３７を基準とする空間的な輝度ムラを算出することで（Ｓ３２）、補正データ１２を生成し、生成した時期と対応づけて記憶部３６に保存する。具体的には、画素（あるいは、画素ブロック）単位で、同じ位置における、撮影された補正用画像の画素値を初期画像３７の画素値で除して得られる補正係数（あるいは、この逆数）の集まりを、補正データ１２として生成し、生成した時期と対応づけて記憶部３６に保存する。この補正データ１２は、表示装置２０の輝度ムラに関する経時的な成分（いわゆる、ＡＣ成分）を示す情報となる。
【０１００】
このような輝度ムラの校正（Ｓ３１、Ｓ３２）については、例えば、一定期間おきに、繰り返す（Ｓ３３）。これにより、表示装置２０の経時的な表示特性の変化（ここでは、輝度低下）を、表示部３３に表示させる等することで、確認することができる。
【０１０１】
輝度ムラの校正によって得られた補正データ１２は、表示装置用校正装置３０の送信部３５ｂによって、通信部３４を介して表示装置２０に転送され（Ｓ３４）、表示装置２０の記憶部２５に書き込まれる。
【０１０２】
このように、初期画像３７を用いた輝度ムラの校正では、表示装置２０の輝度の空間分布を示す初期画像３７を初期画像記憶部としての記憶部３６に記憶しておく。そして、演算部３５ａは、撮像部３１によって撮影された画像に対して、初期画像記憶部に記憶された初期画像３７を基準とする空間的な輝度ムラを算出することで、補正データを生成する。
【０１０３】
これにより、輝度ムラを恒久的な成分と経時的な成分とに分離し、恒久的な成分については表示装置２０の工場出荷時データで高精度に校正しておき、経時的な成分についてはスマートフォン等の表示装置用校正装置３０で簡易に校正することが可能となり、トータルとして、細かい輝度ムラを補正できる高精度な校正が実現される。
【０１０４】
次に、表示装置用校正装置３０の付加的な特徴の四つ目として、撮像部３１自体の輝度校正をするための校正用冶具について、説明する。
【０１０５】
図９Ａは、図３に示された表示装置用校正装置３０の撮像部３１を輝度校正するための校正用冶具の一例（校正用冶具４０ａ）を示す外観図である。
【０１０６】
校正用冶具４０ａは、既知の輝度を有する光源４１と、光源４１に対して撮像部３１を位置決めする構造物である位置決め部４２ａと、それら光源４１及び位置決め部４２ａを収容する筐体４３とで構成される。
【０１０７】
筐体４３は、外部から光が入らないように密閉されたダンボール等で構成される箱体である。
【０１０８】
光源４１は、筐体４３の一つの面の内側面に取り付けられ、対向する内側面に向けて既知（つまり、一定）の輝度の光を出射する光源であり、例えば、電池、及び、電池からの電力を入力として一定電流を出力する定電流回路、定電流回路からの電流が印可されるＬＥＤ等で構成される。
【０１０９】
位置決め部４２ａは、光源４１が発する光が、表示装置用校正装置３０が備える撮像部３１の入射口に入射するように表示装置用校正装置３０を筐体４３内（光源４１と対向する内側面）に固定する位置決めガイドである。
【０１１０】
このような校正用冶具４０ａにより、既知の輝度を有する光源４１を用いて、表示装置用校正装置３０の撮像部３１に対する撮像特性の校正が可能になり、表示装置用校正装置３０による高い精度での校正が確保される。
【０１１１】
また、校正用冶具４０ａには、筐体４３内に撮像部３１を固定する位置決めガイドが備えられているので、光源４１と撮像部３１との位置関係が容易に、かつ、確実に固定され、表示装置用校正装置３０の撮像部３１に対する校正作業が容易で正確なものとなる。
【０１１２】
図９Ｂは、図３に示された表示装置用校正装置３０の撮像部３１を輝度校正するための校正用冶具の他の一例（校正用冶具４０ｂ）を示す外観図である。
【０１１３】
校正用冶具４０ｂは、既知の輝度を有する光源４１と、光源４１に対して撮像部３１を位置決めする構造物である位置決め部４２ｂとで構成される。
【０１１４】
光源４１は、校正用冶具４０ａの光源４１と同様のものであり、既知（つまり、一定）の輝度の光を出射する光源であり、例えば、電池、及び、電池から電力を入力として一定電流を出力する定電流回路、定電流回路からの電流が印可されるＬＥＤ等で構成される。
【０１１５】
位置決め部４２ｂは、光源４１が取り付けられ、撮像部３１に対して着脱可能なアタッチメントである。より詳しくは、位置決め部４２ｂは、光源４１が取り付けられた箱体であり、撮像部３１を含む表示装置用校正装置３０の角部分を嵌め込むことが可能な凹部４４を有する。このような位置決め部４２ｂの凹部４４に、表示装置用校正装置３０の撮像部３１を含む角部分を嵌め込むことで、光源４１から出射される光を撮像部３１の入射口に安定して入射させることができる。
【０１１６】
このように、校正用冶具４０ｂは、既知の輝度を有する光源４１と、光源４１に対して撮像部３１を位置決めする構造物である位置決め部４２ｂとを有する。位置決め部４２ｂは、撮像部３１に対して着脱可能なアタッチメントである。
【０１１７】
これにより、校正用冶具４０ｂには撮像部３１に対して着脱可能なアタッチメントが備えられるので、校正用冶具４０ｂを撮像部３１に取り付けるだけで、光源４１と撮像部３１との位置関係を、容易に、かつ、確実に固定でき、表示装置用校正装置３０の撮像部３１に対する校正作業を簡易に行うことができる。よって、従来のように、暗室等の高価な環境が不要となる。
【０１１８】
図９Ｃは、図３に示された表示装置用校正装置３０の撮像部３１を輝度校正又は輝度ムラの校正をするための校正用冶具として校正済みのカメラ又は校正済みの輝度計（ここでは、校正済み輝度計４６）を用いたシステム構成を示す図である。
【０１１９】
輝度計４６は、表示装置用校正装置３０の付属品であって、表示装置２０に表示された校正用画像の輝度を計測する校正済みの測定器であり、表示装置用校正装置３０と通信する機能も有する。なお、輝度計４６は、専用の測定器に限られず、校正済みのカメラであってもよい。また、表示装置２０に表示させる校正用画像は、表示装置２０の校正に用いられた補正用画像１１と同一であってもよいし、撮像部３１を校正するための専用のものであってもよい。校正用画像は、例えば、全ての画素が同じ画素値をもつような画像である。
【０１２０】
表示装置用校正装置３０では、撮像部３１は、輝度計４６と同様に、表示装置２０に表示された校正用画像を撮影する。そして、撮像校正部３５ｄは、通信部３４を介して輝度計４６から、輝度計４６で計測された輝度を示すデータを取得し、取得したデータを用いて、撮像部３１を校正する。具体的には、撮像校正部３５ｄは、撮像部３１が撮影した校正用画像の少なくとも一つの代表点を用いて平均輝度を算出し、算出した平均輝度が輝度計４６から取得したデータが示す輝度となるように、輝度校正又は色校正を行う。
【０１２１】
このように、表示装置用校正装置３０は、表示装置２０に表示された画像に対して、撮影を行う校正済みのカメラ、又は、輝度を計測する校正済みの輝度計を付属品として備える。そして、表示装置用校正装置３０の制御部３５は、通信部３４を介して付属品からデータを取得し、取得したデータを用いて、撮像部３１を輝度校正する撮像校正部３５ｄを有する。
【０１２２】
これにより、校正済みの輝度計４６を用いて、表示装置用校正装置３０の撮像部３１に対する輝度校正が可能になり、表示装置用校正装置３０による高い精度での表示装置２０に対する輝度校正が確保される。
【０１２３】
なお、撮像校正部３５ｄは、撮像部３１の輝度校正だけでなく、撮像部３１の幾何学特性を校正することもできる。具体的には、表示装置用校正装置３０は、撮像部３１の幾何学特性を校正するのに適した校正用画像を表示装置２０に送信することで、表示装置２０に校正用画像を表示させる。このときに用いられる校正用画像は、例えば、撮像部３１の収差を校正するための幾何学図形が描かれたテストチャートである。
【０１２４】
そして、撮像部３１は、表示装置２０に表示された校正用画像を撮影する。撮像校正部３５ｄは、撮像部３１で得られた校正用画像が示す幾何学図形が、表示装置２０に送信した校正用画像が示す幾何学図形に一致するように、撮像部３１の歪係数を補正することで、撮像部３１の幾何学特性を校正する。
【０１２５】
このように、撮像校正部３５ｄは、撮像部３１の輝度校正だけでなく、撮像部３１の幾何学特性を校正することもできる。つまり、撮像部３１は、表示装置２０に表示された、撮像部３１を校正するための校正用画像を撮影する。そして、撮像校正部３５ｄは、撮像部３１によって撮影された校正用画像を用いて、撮像部３１の幾何学特性を校正する。
【０１２６】
これにより、表示装置２０に表示された校正用画像を撮像することで、表示装置用校正装置３０の撮像部３１に対する幾何学特性の校正が可能になり、表示装置用校正装置３０による高い精度での表示装置２０に対する輝度ムラの校正が確保される。
【０１２７】
以上、本発明に係る表示装置用校正装置３０、表示装置用校正システム１０、表示装置２０の校正方法、及び、表示装置２０について、実施の形態に基づいて説明したが、本発明は、この実施の形態に限定されるものではない。本発明の主旨を逸脱しない限り、当業者が思いつく各種変形を本実施の形態に施したものや、実施の形態における一部の構成要素を組み合わせて構築される別の形態も、本発明の範囲内に含まれる。
【０１２８】
例えば、上記実施の形態では、表示装置用校正装置３０は、スマートフォン、タブレット端末等のカメラを内蔵する携帯情報端末であったが、これに限られず、撮像部３１、通信部３４及び制御部３５が一体化された装置であれば据置型の装置であってもよい。撮像部３１、通信部３４及び制御部３５が一体化されていれば、従来よりも低コストで、かつ、少ない工数で表示装置２０の表示特性を校正できる。
【０１２９】
また、上記実施の形態では、表示装置用校正装置３０によって輝度校正及び輝度ムラの校正が行われたが、必ずしも、これらの両方が行われる必要はない。輝度校正及び輝度ムラの校正のいずれか一方だけが行われてもよい。
【０１３０】
また、上記実施の形態では、表示装置用校正装置３０が表示装置２０に表示させる補正用画像１１を表示装置２０に送信したが、必ずしも、この送信は必要ではない。例えば、表示装置２０が、予め内部に保持している補正用画像、あるいは、ＵＳＢメモリ等の補助記憶装置から読み込んだ補正用画像、あるいは、インターネット等を介して外部装置から取得した補正用画像を表示してもよい。輝度ムラ等の校正であれば、表示装置用校正装置３０は、補正用画像を予め保持しておくことなく、実施することができるからである。
【０１３１】
また、上記実施の形態では、校正用冶具４０ａ及び４０ｂ、並びに、輝度計４６は、表示装置用校正装置３０の付属品として備えられていたが、独立して流通される装置であってもよい。
【０１３２】
また、上記実施の形態では、表示装置用校正装置３０の制御部３５は、演算部３５ａ、送信部３５ｂ、補正用画像指示部３５ｃ、撮像校正部３５ｄ、異物検出部３５ｅ、及び、撮像制御部３５ｆを有したが、これら全ての構成要素を有する必要はない。補正用画像指示部３５ｃ、撮像校正部３５ｄ、異物検出部３５ｅ、及び、撮像制御部３５ｆは、必要に応じて、オプションとして追加されるアプリで実現されてもよい。
【０１３３】
また、上記実施の形態では、表示装置２０の記憶部２５は、予め与えられた補正データ１２ａを格納している第１記憶部２５ａと、表示装置用校正装置３０から送信されてきた補正データ１２ｂを格納する第２記憶部２５ｂとを有したが、これらに限られず、さらに、バックアップ専用の記憶部、補正用画像及び校正用画像等を保持する記憶部等を有してもよい。
【産業上の利用可能性】
【０１３４】
本発明は、表示装置の表示特性を校正する表示装置用校正装置、表示装置用校正システム、表示装置の校正方法、及び、表示特性の校正に適した表示装置として、特に、従来よりも低コストで、かつ、少ない工数で表示装置の表示特性を校正することができる携帯情報端末を用いた表示装置用校正装置として、利用できる。
【符号の説明】
【０１３５】
１０  表示装置用校正システム
１１  補正用画像
１２、１２ａ、１２ｂ  補正データ（ＬＵＴ）
２０  表示装置
２１  通信部
２２  入力端子
２３  映像信号生成部
２４  映像信号処理部
２５  記憶部
２５ａ  第１記憶部
２５ｂ  第２記憶部
２８  表示パネル
３０  表示装置用校正装置
３１  撮像部
３２  入力部
３３  表示部
３４  通信部
３５  制御部
３５ａ  演算部
３５ｂ  送信部
３５ｃ  補正用画像指示部
３５ｄ  撮像校正部
３５ｅ  異物検出部
３５ｆ  撮像制御部
３６  記憶部
３７  初期画像
４０ａ、４０ｂ  校正用冶具
４１  光源
４２ａ、４２ｂ  位置決め部
４３  筐体
４４  凹部
４６  輝度計
【図１】
2019149764.tif 000003
【図２】
2019149764.tif 000004
【図３】
2019149764.tif 000005
【図４】
2019149764.tif 000006
【図５】
2019149764.tif 000007
【図６】
2019149764.tif 000008
【図７Ａ】
2019149764.tif 000009
【図７Ｂ】
2019149764.tif 000010
【図８】
2019149764.tif 000011
【図９Ａ】
2019149764.tif 000012
【図９Ｂ】
2019149764.tif 000013
【図９Ｃ】
2019149764.tif 000014